(57)【要約】【課題】  楽音にばちの衝撃音を混在させないようにする。【解決手段】  駒２１を介して糸４からの弦振動を受けてマイクロホン２２に伝達する駒設定面部材１６を、ばちを演奏操作するばち操作面部材１５から離間して設けるようにしたことにより、ばち操作面部材１５にばちが当たってもその振動がマイクロホン２２に伝達しないので、生成した楽音にばちによる耳障りな衝撃音を混在させないようにできる。【選択図】        図１
2006251358.tif 000002
【特許請求の範囲】
【請求項１】
駒によって支持された糸をばちを用いて演奏操作する位置に配設されたばち操作面部材と、
上記ばち操作面部材から離間した位置に設けられ、表面に上記駒が配設され、上記糸からの弦振動を上記駒を介して受ける駒設定面部材と、
マイクロホンが取り付けられ、上記駒設定面部材から上記糸からの弦振動を受けてマイクロホンに伝達するマイクロホン取付部材と、
上記マイクロホンの出力信号に基づいて楽音を発生する楽音信号処理系と
を具えることを特徴とする三味線。
【請求項２】
上記駒設定面部材は両端縁部を胴の側板部に固着され、かつ裏面に上記マイクロホン取付部材を一体に固定された板材で構成されている
ことを特徴とする請求項１に記載の三味線。
【発明の詳細な説明】
【技術分野】
【０００１】
本発明は、三味線に関し、特に電気信号を生成する電気三味線に適用して好適なものである。
【背景技術】
【０００２】
従来この種の電気三味線として、木製の胴の上面に設けた駒の振動をトランスジューサによって電気信号に変換して胴の外部に取り出し、増幅回路によって電力増幅をしてスピーカから放音するようにしたものが提案されている（特許文献１参照）。
【０００３】
この従来の電気三味線は、ばちによって糸が弾かれることによって生じた振動が駒に伝達して来ることにより、奏者の演奏に応じた電気信号がトランスジューサを介して得られることになる。
【特許文献１】特開平7-319470号公報
【発明の開示】
【発明が解決しようとする課題】
【０００４】
ところがこの奏者の演奏時に、糸を弾いたばちが胴の表面板を叩くことにより当該表面板が振動したとき、このばちによる振動が駒に伝達されるので、糸の振動に基づく電気信号に加えてばちが胴の表面板を叩く際に生ずる振動に対応する電気信号も、トランスジューサを介して生ずることを避け得ず、このばちによる衝撃音が耳障りになる問題がある。
【０００５】
本発明は、以上の点を考慮してなされたもので、糸の弦振動による楽音信号に対して、ばちの衝撃音を混在させないようにした電気三味線を提案しようとするものである。
【課題を解決するための手段】
【０００６】
かかる課題を解決するため本発明においては、ばち操作面部材に対してばちを演奏操作することにより糸に与えた弦振動を、ばち操作面部材から離間した位置に設けられた駒設定面部材上に設定された駒を介して受けて、マイクロホン取付部材に伝達するようにし、これによりばちがばち操作面部材に当たっても、当該当った際の振動が駒設定面部材に伝達しないので、楽音に耳障りな衝撃音を混在させないようにできる。
【発明の効果】
【０００７】
本発明によれば、駒を介して糸からの弦振動を受けてマイクロホンに伝達する駒設定面部材を、ばちを演奏操作するばち操作面部材から離間して設けるようにしたことにより、ばち操作面部材にばちが当たってもその振動がマイクロホンに伝達しないので、生成した楽音にばちによる耳障りな衝撃音を混在させないようにできる。
【発明を実施するための最良の形態】
【０００８】
以下図面について、本発明の一実施の形態を詳述する。
【０００９】
図１において、１は全体として三味線を示し、花林材で構成された胴２を挿通するように花林材で構成された棹３が装着されている。
【００１０】
胴２は棹３に連接する先端板部２Ａと、糸４を胴２に係止するための係止手段を構成する音緒５を取り付ける後端板部２Ｂと、これら先端板部２Ａ及び後端板部２Ｂの側端部間を連結する左及び右側板部２Ｃ及び２Ｄとを有する。
【００１１】
棹３の後端部は、中子３Ａとして、図２に示すように、先細りな形状をもつように加工され、先端板部２Ａ及び後端板部２Ｂにそれぞれ厚みを貫通するように穿設された取付口２Ａ１及び２Ｂ１を貫通するように中子２Ａが嵌め込まれることにより、棹３が胴２と一体に装着される。
【００１２】
中子３Ａの後方端部は、取付口２Ｂ１を通って後方に突出し、当該突出端部３Ｂが音緒５によって糸４を固定するために用いられる。
【００１３】
この実施の形態の場合、胴２の下側開口には、厚さ２〔mm〕のアクリル板でなる下側板１０が、その周縁部を胴２の先端板部２Ａ、右側板部２Ｄ、後端板部２Ｂ及び左側板部２Ｃに接着剤によって接着されると共に、止めねじ１１によって補強されている。
【００１４】
これに対して、胴２の上側開口には、それぞれ厚さ３〔mm〕のアクリル板でなるばち操作面部材１５、駒設定面部材１６及び閉塞面部材１７が設けられている。
【００１５】
ばち操作面部材１５は胴２の開口の前側位置において、先端板部２Ａとその両端に連接する左及び右側板部２Ｃ及び２Ｄ上に、外側縁が接着剤（図示せず）及び止めねじ１５Ａによって固着されている。
【００１６】
ばち操作面部材１５は奏者の演奏時、ばちが糸４を弾く際に当接する位置に対応するように設けられており、これによりばちが糸４を弾くことにより糸４に弦振動を与えると共に、当該ばちの打付け動作をばち操作面部材１５が受け止めるようになされている。
【００１７】
駒設定面部材１６はばち操作面部材１５の後側位置において、ばち操作面部材１５との間に所定幅（１〔mm〕）の間隔を保つように離間すると共に、両端部が胴２の左側板部２Ｃ及び右側板部２Ｄに接着剤（図示せず）及び止めねじ１６Ａによって固着されている。
【００１８】
駒設定面部材１６は、図３に示すように、断面三角形状の竹材でなり、その稜線によって糸４を支持する駒２１を設定され（演奏時奏者により位置が調整される）、これにより糸４の弦振動を駒２１を介して表面に受けると共に、当該弦振動を、側面にマイクロホン２２が装着されてなるマイクロホン取付部材２３に伝達する。
【００１９】
かくして駒設定面部材１６は、駒２１及びマイクロホン取付部材２３と共に、糸３に与えられた弦振動をマイクロホン２２に伝達する振動伝達手段として作用する。
【００２０】
駒設定面部材１６は振動伝達手段として効率良く機能するために、比較的堅い材料（この実施の形態の場合アクリル板）で構成されていると共に、前後幅を比較的幅狭（３０〔mm〕程度）に選定され、さらに後側位置に配設される閉塞面部材１７との間に所定幅（１〔mm〕程度）の間隔を保つように離間した位置に設けられている。
【００２１】
この実施の形態の場合、マイクロホン取付部材２３は、長方形状のポリスチレンフォーム材によって構成され、上端面を駒設定面部材１６の下面に接着剤（図示せず）によって一体に接着されているのに対して、下側端面は棹３の中子３Ａの上面に当接支持され、これにより胴２からの棹３の挿脱の邪魔にならないようになされている。
【００２２】
この実施の形態の場合、閉塞面部材１７はその後方端縁及び左右側端縁を胴２の後端板部２Ｂ及び左及び右側板部２Ｃ及び２Ｄ上に接着剤（図示せず）及び止めねじ１７Ａによって固着され、これにより閉塞面部材１７は、下側板１０と共に胴２の構成部材として用いられている。
【００２３】
マイクロホン２２はコード３１を介して胴２の後端板部２Ｂの厚みを貫通するように設けられたコネクタ３２に接続され、これによりマイクロホン２２に発生する電気信号が、胴２から外部に導出される。
【００２４】
かくしてコネクタ３２から導出された電気信号は、図４に示すように、外部コネクタ３５を介してエフェクタ３６に与えられ、このエフェクタ３６において奏者が任意に付けた効果をもった楽音信号が増幅器３７において電力増幅されてスピーカ３８に供給される。
【００２５】
以上の構成において、奏者はばちを用いて胴２のばち操作面部材１５上に張られた糸４を弾くことによって三味線１を演奏する。
【００２６】
このとき糸４に与えられた弦振動は、駒２１、駒設定面部材１６、マイクロホン取付部材２３を通ってマイクロホン２２に伝達され、マイクロホン２２において電気信号に変換される。
【００２７】
この電気信号がコード３１、コネクタ３２及び３５、エフェクタ３６、増幅器３７を介してスピーカ３８に供給され、これによりスピーカ３８から糸４の弦振動に対応する楽音、すなわち三味線の演奏音が放出される。
【００２８】
この三味線１の演奏時にばち操作面部材１５に演奏者のばちが当たった場合には、その衝撃がばち操作面部材１５に加えられて振動するが、このばちの振動はばち操作面部材１５と駒設定面部材１６とを離間して設けるようにしたことにより、駒設定面部材１６に直接に伝達することはない。
【００２９】
実際上当該ばちの衝撃は、ばち操作面部材１５から胴２に伝達されて当該胴において吸収されることにより、駒設定面部材１６に届くことはない。
【００３０】
上述の構成によれば、演奏時にばちが胴２のばち操作面部材１５に当たったとしても、その衝撃が駒２１が設定されている駒設定面部材１６に直接伝達させないようにしたことにより、スピーカ３８から放出される楽音にばちによる衝撃音を混在させないようにでき、その結果耳障りな雑音を含まない楽音、すなわち三味線音を楽しむことができる。
【００３１】
なお、上述の実施の形態においては、ばち操作面部材１５、駒設定面部材１６及び閉塞面部材１７をアクリル板で構成するようにした場合について述べたが、これに限らず、要するに、猫や犬の革のような柔軟性を持たない材料であって、弦振動を伝達しやすくするように剛性をもった材料であれば、他の合成樹脂材料や、ガラス板などを用いても上述の場合と同様の効果を得ることができる。
【００３２】
特に、駒設定面部材１６としては、駒２１から与えられる糸の弦振動を効率良く伝達できる材料を選定すれば良い。
【産業上の利用可能性】
【００３３】
本発明は電気三味線に利用できる。
【図面の簡単な説明】
【００３４】
【図１】本発明の実施の形態による三味線を示す平面図である。
【図２】図１の胴部分の詳細構成を示す縦断面図である。
【図３】図２の振動伝達部の詳細構成を示す部分的拡大縦断面図である。
【図４】楽音信号処理系を示す電気的系統図である。
【符号の説明】
【００３５】
１……三味線、２……胴、２Ａ……先端板部、２Ｂ……後端板部、２Ｃ……左側板部、２Ｄ……右側板部、３……棹、３Ａ……中子、４……糸、５……音緒、１１、１５Ａ、１６Ａ、１７Ａ……止めねじ、１５……ばち操作面部材、１６……駒設定面部材、１７……閉塞面部材、２１……駒、２２……マイクロホン、２３……マイクロホン取付部材、３１……コード、３２……コネクタ、３５……外部コネクタ、３６……エフェクタ、３７……増幅器、３８……スピーカ。
【図１】
2006251358.tif 000003
【図２】
2006251358.tif 000004
【図３】
2006251358.tif 000005
【図４】
2006251358.tif 000006